(57)【特許請求の範囲】
【請求項１】
合成樹脂製の複数種の筆毛の先端にテーパー加工を施し、その筆毛を混毛し束ねて筆穂とし、該筆穂を前軸の先端に取り付けた化粧用筆穂であって、この化粧用筆穂の繊維径が０．０５ｍｍ〜０．１０ｍｍの範囲の少なくともポリアミド繊維の集束体からなり、且つ、この筆毛がクリンプ形状を有すると共に、そのクリンプ形状を波高さ０．０１ｍｍ〜１．０ｍｍ、波形ピッチが１．０ｍｍ〜８．０ｍｍの範囲にした化粧用筆穂において、前記筆毛がクリンプの波の高さを波形ピッチで割ったものを係数として、その係数の最小値０．００７≦クリンプ係数≦０．０６４の範囲で特定されるクリンプ形状の中から２種類以上選定すると共に、前記クリンプ係数の最大値と最小値の差を０．０１５〜０．０５５の範囲で特定されるクリンプ形状に構成したことを特徴とする化粧用筆穂。
【請求項２】
前記筆穂の横断面形状を円形状、楕円状或いは矩形状としたことを特徴とする請求項１に記載の化粧用筆穂。
【請求項３】
前記筆穂をその筆穂の中心部の先端から基部に架けて湾曲させて構成したことを特徴とする請求項１、或いは請求項２に記載の化粧用筆穂。
【請求項４】
前記先端がテーパー加工された合成樹脂製の筆毛を、前記テーパー加工後に染色したことを特徴とする請求項１〜請求項３の何れかに記載の化粧用筆穂。
【発明の詳細な説明】
【技術分野】
【０００１】
本発明は、先端がテーパー加工された合成樹脂製の筆毛を束ねて筆穂とし、該筆穂を軸に取り付けた化粧用筆穂において、この化粧用筆穂の筆毛がクリンプを有すると共に、クリンプの波形高さを波形ピッチで割ったものを係数として、その係数の最小値０．００７≦クリンプ係数≦最大値０．０６４の範囲で特定されるクリンプ形状の中から少なくとも２種類以上混毛して構成しているので、塗布時の穂先のまとまりが良好で、肌当たりがソフトであると共に、化粧料の掻き性と塗布時の吐出性を良好となした筆穂に関するものである。
【背景技術】
【０００２】
従来、化粧ブラシ、リップブラシ、漆器蒔絵用などの筆穂は、馬や鹿、豚、鼬、狸、栗鼠、貂、羊などの獣毛を使用しており、使用目的、使用者の好みなどによって筆穂の硬さ、太さなどを調整するために、上記獣毛の種類や組み合わせ方を変えて製品としている。一般的には、筆毛のテーパー形状が長くその表面状態が繊細で先端部に弾力がある獣毛のみで作った筆穂の品質が良いとされている。特に、鼬毛、羊毛、貂毛がその代表である。しかし、獣毛は天然物であるため、品質が一定なものが得難く、任意の寸法形状のものとすることが困難であり、耐摩耗性が低いとかいった問題があり、更には、鼬、狸、貂の収穫量の減少による高価格化といった問題もある。
【０００３】
そこで、筆穂を形成する獣毛に代わり合成樹脂製の筆毛を用いることが行われている。合成樹脂製の先端をテーパー化して、獣毛のような合成樹脂製筆毛となすためには、合成樹脂製繊維を溶解又は分解する処理液に接触させる方法などが提案されている。（特許文献１参照、特許文献２参照）
【０００４】
ところで、先端をテーパー化した合成樹脂製筆毛を用いた筆穂は、化粧料の保持力が低いといった問題や塗布した際に肌当たりがハードで使用感が悪いといった問題を有していた。これを解決するために、ポリエチレンテレフタレートなどの合成繊維に捲縮を施し、先端をテーパー状にした筆穂（特許文献３）や波状に皺曲（クリンプ）して、その波長が各々相違する多数の合成樹脂製の筆毛よりなる筆穂などが提案されている（特許文献４）。
【先行技術文献】
【特許文献】
【０００５】
【特許文献１】特公昭４９−６１５９号公報（特許請求範囲）
【特許文献２】特公昭６０−３０５５６号公報（第３欄２４行目〜第４欄１５行目）
【特許文献３】特開平１１−２３５２３０号公報（特許請求範囲）
【特許文献４】実開昭６２−１１４７８１号公報（特許請求範囲と図面）
【発明の概要】
【発明が解決しようとする課題】
【０００６】
しかしながら、上記ポリエチレンテレフタレート繊維に捲縮を施し、先端をテーパー状にした筆穂よりなるものの場合、クリンプの波形が円形に渦巻き状になり易く、空間が大きくなりすぎて、筆穂がバラケたり、又、この方法での捲縮は、繊維の中間部は、クリンプがきつく付きやすいが、繊維の両端は、繊維が逃げるため、クリンプが付き難いので、１本の繊維の中でクリンプ状態が異なり易く、塗布した時に方向性が発生して塗布感が劣るといった問題も有している。又、クリンプの波長（ピッチ）が各々相違する多数の合成樹脂製の筆毛よりなるものの場合は、クリンプの波長（ピッチ）が異なるだけで、波形高さが同じであるため、例えば、波形が高いものだけの組合せの場合は、空間が大きくなり過ぎて、筆穂のまとまりが悪くなり、肌当たりの使用感も悪くなる。これとは逆に、波形が低いものだけの組合せの場合は、空間が少なくなり過ぎて、使用感は良いが化粧料の塗布性が劣るといった部分もあり不十分であった。
【課題を解決するための手段】
【０００７】
本発明は、合成樹脂製の複数種の筆毛の先端にテーパー加工を施し、その筆毛を混毛し束ねて筆穂とし、該筆穂を前軸の先端に取り付けた化粧用筆穂であって、この化粧用筆穂の繊維径が０．０５ｍｍ〜０．１０ｍｍの範囲の少なくともポリアミド繊維の集束体からなり、且つ、この筆毛がクリンプ形状を有すると共に、そのクリンプ形状を波高さ０．０１ｍｍ〜１．０ｍｍ、波形ピッチが１．０ｍｍ〜８．０ｍｍの範囲にした化粧用筆穂において、前記筆毛がクリンプの波の高さを波形ピッチで割ったものを係数として、その係数の最小値０．００７≦クリンプ係数≦０．０６４の範囲で特定されるクリンプ形状の中から２種類以上選定すると共に、前記クリンプ係数の最大値と最小値の差を０．０１５〜０．０５５の範囲で特定されるクリンプ形状に構成したことを主要な特徴とするものである。
【発明の効果】
【０００８】
本発明は、合成樹脂製の複数種の筆毛の先端にテーパー加工を施し、その筆毛を混毛し束ねて筆穂とし、該筆穂を前軸の先端に取り付けた化粧用筆穂であって、この化粧用筆穂の繊維径が０．０５ｍｍ〜０．１０ｍｍの範囲の少なくともポリアミド繊維の集束体からなり、且つ、この筆毛がクリンプ形状を有すると共に、そのクリンプ形状を波高さ０．０１ｍｍ〜１．０ｍｍ、波形ピッチが１．０ｍｍ〜８．０ｍｍの範囲にした化粧用筆穂において、前記筆毛がクリンプの波の高さを波形ピッチで割ったものを係数として、その係数の最小値０．００７≦クリンプ係数≦０．０６４の範囲で特定されるクリンプ形状の中から２種類以上選定すると共に、前記クリンプ係数の最大値と最小値の差を０．０１５〜０．０５５の範囲で特定されるクリンプ形状に構成しているので、塗布時の筆穂のまとまりが良好で、肌当たりがソフトであると共に、化粧料の掻き性と塗布時の吐出性を良好となした筆穂を提供することができる。
因みに、本発明における化粧料とは、粉末状のパウダーであるもの、その具体例としては、チーク用のパウダーやアイシャドウ用のパウダー、アイライナー用のパウダーなどに使用するのが最も好ましい。
【図面の簡単な説明】
【０００９】
【図１】本発明に係る化粧ブラシの概略の側面図である。
【図２】毛先にテーパー加工をしたクリンプを有する筆毛の側面図。
【図３】本発明に係るクリンプ繊維の拡大模式図である。
【図４】（ａ）筆穂の先端変形例を示す正面図である。            （ｂ）筆穂の先端変形例を示す上面図
【図５】（ａ）筆穂の先端変形例を示す正面図である。            （ｂ）筆穂の先端変形例を示す上面図
【図６】本発明に係る化粧ブラシの筆穂にカラーリングを施した概略の側面図である。
【発明を実施するための形態】
【００１０】
以下、添付した図面に基づき本発明の実施例を説明する。図１は、本発明による化粧用筆穂に適用した１例を示している。参照符号１は化粧用筆穂であり、この筆穂１は、前軸１５に挿入固定され、この前軸１５は、軸１６の線端に挿入固定され化粧用筆穂１を形成している。又、筆穂１は、先端をテーパー加工されたクリンプを有するナチュラル色の筆毛２〜６と、および／または、先端をテーパー加工されたクリンプを有すると共に個々に指定の色に染色した筆毛９〜１３とを混毛して用いて長手方向に集束し、後端部を熱溶着や接着剤による接着などの方法により固着して形成したものである。
【００１１】
筆毛２、３、４、５、６に使用している合成樹脂製の材質としては、ポリアミド（６、６―ナイロン、６―ナイロン、１２−ナイロン、６、１０−ナイロン、６、１２−ナイロンなど）とポリエステル（ポリエチレンテレフタレート、ポリブチレンテレフタレートなど）、アクリル（モダクリルなど）などを用いることができるが、使用する筆毛２、３、４、５、６の材質は同一であっても異なっても良い。例えば、筆毛２に、曲げ強度（吸湿時）の柔らかいポリアミド系の材質と筆毛４に曲げ強度（吸湿時）の硬いポリエステル系の材質のものを混毛して用いれば、ポリアミドの材質が肌当たりをソフトなタッチにし、又、ポリエステルの材質が耐久性を良くすると言った、相反する結果が得られることもある。
【００１２】
この筆穂１に用いる筆毛２、３、４、５、６の基部の直径Ｄは、製造用途又は大きさ（直径及び長さ）によっても異なるが、本発明に係わる化粧用の筆穂１における筆毛２、３、４、５、６の基部の直径Ｄは、０．０５ｍｍ〜０．０８ｍｍのものを用いることが好ましい。その理由は、筆毛の基部の直径Ｄが０．０５ｍｍに満たないと、テーパー加工上、そのテーパーが形成されていない粗い毛が混入することがあり、基部の直径Ｄが０．０８ｍｍを超えると塗布時の肌当たりがハードになり使用感が悪くなるからである。ここで言うフィラメントの直径Ｄとは、テーパー加工されていない部分の直径を言うものである。
【００１３】
前記合成樹脂製の筆毛２、３、４、５、６を先端から後方に向けてテーパー化した筆毛２、３、４、５、６となすには、化学処理液による方法が好ましく、その具体的一例としては、ポリアミドに対してメタクレゾールと塩化カルシウム−メタノール溶液との混和液、ポリエステルに対して水酸化ナトリウムなどの組合せが挙げられる。但し、必ずしもこの方法に限定されるものではなく、例えば、グラインダー研摩など機械的にテーパー化するなどの他の方法を採用しても良い。
【００１４】
先端がテーパー加工された合成樹脂製の筆穂１の筆毛２、３、４、５、６がクリンプを有すると共にクリンプの波形高さＨを波形ピッチＰで割ったものを係数として、その係数の最小値０．００７≦クリンプ係数≦最大値０．０６４の範囲で特定されるクリンプ形状の中から２種類以上混毛して使用する目的は、塗布時の筆穂１のまとまりが良好で、肌当たりがソフトであると共に、化粧料の掻き性と塗布時の吐出性を良好にするために使用するものである。その理由としては、クリンプ係数が０．００７に満たないと、例えば、波形の高さＨが大きい場合は、ピッチＰが非常に長くなってしまい、筆穂内１にクリンプの波形が少なく形成されるので、空間が少なくなり、塗布時の肌当たりは良いが、化粧料パウダーの掻き取りと塗布時の吐出が悪くなるからである。又、波形が小さい場合は、ピッチ幅もある程度小さくなるが、波形の高さがほとんど形成されないので、この場合も筆穂内に空間がほとんど形成されないので、塗布時の肌当たりは良いが、化粧料の掻き取りと塗布時の吐出が悪くなってしまう。
又、クリンプ係数が０．０６４を超えると、例えば、波形の高さＨが大きい場合は、ピッチＰは長くなるが、波形高さＨが非常に高くなり過ぎて、空間が多く形成されるので、化粧料の掻き取りと吐出性は良いが、塗布時の肌当たりが悪くなったり、筆穂１がバラケたり割れたりもする。これとは逆に、波形高さＨが低い場合は、ピッチＰが非常に狭くなり過ぎて、塗布時の肌当たりを悪くしたり、さらには、筆穂１がバラケたり割れたりするからである。
【００１５】
又、上記のクリンプ係数の中から２種類以上を選定し、混毛して使用する目的は、クリンプ状態の異なるものを混毛することで、筆穂１にボリュームと適度の空間が形成され、塗布時のタッチがソフトになり、化粧料の掻き取り性や吐出性を良くするために使用するものである。その理由としては、クリンプ係数が１種類になると、例えば、クリンプ係数が下限（０．００７）の場合には、クリンプ係数が低いが故にクリンプ状態がストレートに近いものに形成されるため、塗布時のタッチはソフトで良いが、化粧料の掻き取り性や吐出性が悪くなったりする。又、クリンプ係数が上限（０．０６４）の場合には、クリンプ状態が大きくなり過ぎて、塗布時の肌当たりの使用感が悪くなったり、空間が大きくなり過ぎるが故に筆穂１がバラケたり割れたりするからである。尚、ここでクリンプ係数の範囲の中で２種類以上を選定し混毛する訳であるが、出来上がりの品質やコスト面などを考慮すると３種類を混毛するのが最も効果的である。
ちなみに、クリンプ係数の最小値０．００７≦クリンプ係数≦最大値０．０６４の範囲で特定されるクリンプ形状の中から２種類以上混毛する訳であるが、その混毛比率は、２種類、３種類又は４種類でも、１種類の混毛比率が２０〜６０重量％とし、この範囲を超えないように配合することが好ましい。
【００１６】
又、前記筆穂１のクリンプの波形高さＨを波形ピッチＰで割ったものを係数として、その係数の最小値０．００７≦クリンプ係数≦最大値０．０６４の範囲で特定されるクリンプ形状の中から２種類以上選定する訳であるが、このときのクリンプ係数の差が０．０１５〜０．０５５の範囲にすることが好ましい。その理由は、クリンプ係数の差が０．０１５に満たないとクリンプ状態に差がなくなり、空間率が低くなり過ぎて、ボリュームのある筆穂１が得られず、化粧料の掻き取り性や吐出性が低下してしまう。又、クリンプ係数が０．０５５を超えると、例えば、クリンプ係数の高いグループを２種類以上選定した場合には、空間率が高くなりすぎて、筆穂１にボリュームが出過ぎて、塗布時に筆穂がバラケたり割れたりしてしまうからである。
【００１７】
尚、前記筆穂のクリンプの波形高さを波形ピッチで割ったものを係数として、その係数の最小値０．００７≦クリンプ係数≦最大値０．０６４の範囲で特定されるクリンプ形状の中から２種類以上選定する訳であるが、２種類以上であれば、３種類でも４種類でも何種類混ぜても構わない。
【００１８】
又、前記筆穂１のクリンプの波形高さＨを波形ピッチＰで割ったものを係数として、その係数の最小値０．００７≦クリンプ係数≦最大値０．０６４の範囲で特定されるクリンプ形状の中から２種類以上選定するが、クリンプを有する筆毛を２種類以上混入してあれば、筆毛断面が異形形状のものや筆毛表面に凹凸のある形状のもの、又は、筆毛断面が中空形状のものなどを混毛しても構わない。
【００１９】
又、筆穂１に使用する筆毛２、３、４、５、６のクリンプ波形形状は、クリンプの波形高さＨ０．０１ｍｍ〜１．０ｍｍ、波形のピッチＰが１．０ｍｍ〜８．０ｍｍの範囲のものを使用することが好ましい。その理由は、クリンプ波形高さＨが０．０１ｍｍに満たないとほとんどクリンプを形成しないものになってしまうことがあり、化粧料の掻き取り性や吐出性が低下してしまうことがある。又、クリンプ波形高さＨが１．０ｍｍを超えると空間率が大きくなり過ぎてタッチが荒くなり、筆穂１がバラケたり割れたりしてしまう。又、波形のピッチＰが１．０ｍｍに満たないと波形高さＨにもよるが波形のピッチＰが短すぎて、空間率が大きくなり過ぎて使用感が悪くなったり、筆穂１がバラケたり割れたりもする。又、波形のピッチＰが８．０ｍｍを超えると筆穂１内にクリンプがほとんど形成されないものになって、化粧料の掻き取り性や吐出性が低下してしまうからである。
尚、この範囲の中からクリンプの形状を選定する訳であるが、この波形形状の範囲の中であれば何種類使用しても構わない。
【００２０】
又、この筆穂１の断面形状は、製造用途又は大きさ（直径及び長さ）によっても異なるが、筆穂の横断面形状を円形状、楕円状或いは矩形状とすることが好ましい。又、前記筆毛２をその筆穂１の中心部に位置する頂部から外周部に向うに従って徐々に短く形成し、即ち、筆穂１の前方部の縦断面形状を円弧状に形成・構成するとさらに効果を発揮して好ましい。
【００２１】
又、筆穂Ｘに使用するクリンプを有する筆毛は、筆毛２、３、４、５、６の先端にテーパー加工を施したのちに、個々に酸性染料を用いてカラーリングし、次いで、混毛することが好ましい。その理由は、筆毛２、３、４、５、６をカラーリングすることで、筆毛に染料が染み込み、筆穂Ｘの弾力性が良くなると共に、筆毛の表面にも染料が付着するため、筆毛９、１０、１１、１２、１３間の離型が良くなり、筆毛間の離型が良いが故に筆穂Ｘが先端に寄り易く、筆穂Ｘの前方部の横断面形状を円弧状などにし易い利点もあるので好ましい。
【００２２】
尚、筆穂Ｘの染色の順序は、筆毛２、３、４、５、６を個々に染色し、筆毛９、１０、１１、１２、１３を形成し、次いで、筆毛９、１０、１１、１２、１３を混毛するのが好ましい。その理由は、筆毛２、３、４、５、６を混毛した状態で染色すると染色状態に斑が出ることがあるので、各筆毛を染色した後に混毛することで、多少の色斑などがある場合でも均一な筆穂Ｘが得られるものである。
【００２３】
又、合成樹脂製のフィラメントには、フィラメントに染料を練りこんでカラーリングしてあるものも販売されている。この場合は、テーパー加工を施すとテーパー部の染料が抜けてしまい、先端部がナチュラルに近い色になり、先端部と後方部の色が異なり外観上見栄えが悪くなったりもする。
【００２４】
図６に本発明に係る第２の実施例を示す。本実施例は、筆穂Ｘを前軸１５に挿入固定され、この前軸１５は、軸１６の線端に挿入固定され筆穂Ｘを形成している。又、筆穂Ｘは、先端をテーパー加工されたクリンプを有する筆毛２と先端をテーパー加工されたクリンプを有する筆毛３と先端をテーパー加工したクリンプを有する筆毛４を個々に黒茶に染色したもの、即ち、染色した筆毛９、１０、１１を所定の割合で混毛したものを用いて長手方向に集束し、後端部を熱溶着や接着剤による接着などの方法により固着して形成したものである。この染色方法は、黒の染料と茶の染料及び硫酸を用いたものを湯煎しながら攪拌し、９０℃以上で３０分間程度煮沸して、黒茶の染色をしたもので筆穂Ｘを形成したものである。又、筆穂Ｘに施すカラーリングについては、前記の方法により何色に染色しても同じような効果が得られるものである。
【００２５】
本発明の化粧用筆穂を製造するに当たっては、上記の筆毛の２種類以上を少なくとも混毛し、後端を溶着、接着又は後部を糸などで縛って筆毛の脱落を防止して筆穂となす訳であるが、混毛された筆穂は、クリンプを有する筆毛と、その筆毛２とは異なるクリンプを有する筆毛３とクリンプを有する筆毛４とがお互いに均一に混毛され配列されていることが好ましい。
【００２６】
以下、本発明の実施例を説明する。
図１は、本発明の化粧用筆穂の使用例である筆を示すものである。参照符号１は、化粧用の筆穂１であり、筆毛２、３、４、５、６と、および／または、その筆毛２、３、４、５、６をテーパー加工後に個々に染色した筆毛９、１０、１１、１２、１３とを混毛し、その後端を溶着したものである。
化粧用筆穂１は、前軸１５に挿入固定され、この前軸１５は、軸１６の前端に挿入固定され筆を形成している。
筆毛は、先端をテーパー加工されたクリンプを有する筆毛２、９（クリンプ係数０．００７）と先端をテーパー加工されたクリンプを有する筆毛３、１０（クリンプ係数０．０２５）と、先端をテーパー加工されたクリンプを有する筆毛４、１１（クリンプ係数０．０３３）と、先端をテーパー加工されたクリンプを有する筆毛５、１３（クリンプ係数０．０３９）と、先端をテーパー加工されたクリンプを有する筆毛６、１４（クリンプ係数０．０６４）を用いた。それらの筆毛の波形高さ、並びに、波形ピッチを変えた種々の例を表１に示す。
尚、筆毛１、並びに、筆毛７、８、１４は、比較のために製作したものであって、筆毛１と筆毛８は、先端がテーパー加工されているもの、クリンプを有さない、即ち、クリンプ係数が０．０００の筆毛であって、筆毛７と筆毛１４は先端がテーパー加工されたクリンプを有する（クリンプ係数０．０８０）の筆毛である。
【００２７】
【表１】
0005707827.tif 000002
【００２８】
実施例１〜２２、比較例１〜６の筆穂の筆毛の配合を表２に示す。
【００２９】
【表２】
0005707827.tif 000003
【００３０】
上記実施例１〜２２、並びに、比較例１〜６の筆穂１を用いて、図１に示す化粧用筆穂を形成し、化粧料の塗布試験を行った。
化粧料は、チーク用の粉末のパウダー（マキアージュチークカラー（株式会社  資生堂製））を使用して塗布試験を実施した。
【００３１】
塗布試験（モニター試験）
方法：任意に抽出したモニターに実際に化粧用筆穂を使用してもらい、使用性についてのモニター調査を実施した。その結果を表３に示す。
【００３２】
【表３】
0005707827.tif 000004
【符号の説明】
【００３３】
１    筆穂
２    筆毛（クリンプ係数最小値０．００７）
３    筆毛（クリンプ係数０．０２５）
４    筆毛（クリンプ係数０．０３３）
５    筆毛（クリンプ係数０．０３９）
６    筆毛（クリンプ係数最大値０．０６４）
９    染色した筆毛（クリンプ係数最小値０．００７）
１０    染色した筆毛（クリンプ係数０．０２５）
１１    染色した筆毛（クリンプ係数０．０３３）
１２    染色した筆毛（クリンプ係数０．０３９）
１３    染色した筆毛（クリンプ係数最大値０．０６４）
１５    前軸
１６    軸
【図１】
0005707827.tif 000005
【図２】
0005707827.tif 000006
【図３】
0005707827.tif 000007
【図４】
0005707827.tif 000008
【図５】
0005707827.tif 000009
【図６】
0005707827.tif 000010